【手続補正書】
【提出日】平成22年6月1日(2010.6.1)
【手続補正１】
【補正対象書類名】特許請求の範囲
【補正対象項目名】全文
【補正方法】変更
【補正の内容】
【特許請求の範囲】
【請求項１】
情報処理装置と、前記情報処理装置から送信された印刷データに基づいて印刷処理を行う印刷装置を含む印刷システムであって、
前記印刷データに基づく印刷処理に関する機能の使用を制限する情報である印刷制限情報を取得する印刷制限情報の取得手段と、
前記印刷データに、前記印刷データに基づいて印刷処理された印刷物の複写を制限するための複写制限情報を付加する付加手段と、
前記印刷制限情報と前記複写制限情報との整合性を判断する判断手段と、
前記判断手段による判断の結果に基づいて前記印刷制限情報を変更する変更手段と、を備えることを特徴とする印刷システム。
【請求項２】
前記印刷制限情報は前記印刷装置を使用可能なユーザを特定する情報を含み、
更に、前記印刷装置に前記印刷データに基づく印刷処理を実行させる指示を行うユーザを特定する情報を取得するユーザ情報の取得手段を備え、
前記印刷制限情報の取得手段は、前記ユーザ情報の取得手段が取得したユーザを特定する情報に基づき、当該ユーザに対応する前記印刷制限情報を取得することを特徴とする、請求項１に記載の印刷システム。
【請求項３】
更に、前記印刷装置を使用可能な複数のユーザに対応する複数の前記印刷制限情報を記憶する印刷制限情報管理装置を備え、
前記印刷制限情報の取得手段は、前記印刷制限情報管理装置から前記印刷制限情報を取得することを特徴とする、請求項２に記載の印刷システム。
【請求項４】
前記印刷制限情報は、前記印刷装置がカラー印刷を行うことを制限する情報を含むことを特徴とする、請求項１乃至請求項３のいずれか１項に記載の印刷システム。
【請求項５】
前記印刷制限情報は、前記印刷装置が片面印刷を行うことを制限する情報を含むことを特徴とする、請求項１乃至請求項３のいずれか１項に記載の印刷システム。
【請求項６】
前記付加手段は、前記複写制限情報が示す内容をバーコードデータとして前記印刷データに付加することを特徴とする、請求項１乃至請求項５のいずれか１項に記載の印刷システム。
【請求項７】
前記付加手段は前記印刷データに基づいて生成した画像に、前記複写制限情報に基づいて生成したバーコード画像を付加することを特徴とする、請求項１乃至請求項５のいずれか１項に記載の印刷システム。
【請求項８】
前記印刷制限情報が前記印刷装置によるカラー印刷を制限する情報を含み、
前記複写制限情報がカラーの画像データである場合、前記変更手段は前記印刷装置が前記複写制限情報をカラー印刷することを制限しないように前記カラー印刷を制限する情報を変更することを特徴とする、請求項１乃至請求項７のいずれか１項に記載の印刷システム。
【請求項９】
前記印刷制限情報が前記印刷装置による両面印刷を制限する情報を含む場合、前記変更手段は前記印刷装置が前記印刷データに基づき両面印刷することを制限しないように前記両面印刷を制限する情報を変更することを特徴とする、請求項１乃至請求項７のいずれか１項に記載の印刷システム。
【請求項１０】
情報処理装置と、前記情報処理装置から送信された印刷データに基づいて印刷処理を行う印刷装置を含む印刷システムにおける印刷制限方法であって、
前記印刷データに基づく印刷処理に関する機能の使用を制限する情報である印刷制限情報を取得する印刷制限情報の取得工程と、
前記印刷データに、前記印刷データに基づいて印刷処理された印刷物の複写を制限するための複写制限情報を付加する付加工程と、
前記印刷制限情報と前記複写制限情報との整合性を判断する判断工程と、
前記判断工程における判断の結果に基づいて前記印刷制限情報を変更する変更工程と、を備えることを特徴とする印刷制限方法。
【請求項１１】
情報処理装置と、前記情報処理装置から送信された印刷データに基づいて印刷処理を行う印刷装置を含む印刷システムにおける印刷制限方法をコンピュータに実行させるためのプログラムであって、
前記印刷制限方法は、
前記印刷データに基づく印刷処理に関する機能の使用を制限する情報である印刷制限情報を取得する印刷制限情報の取得工程と、
前記印刷データに、前記印刷データに基づいて印刷処理された印刷物の複写を制限するための複写制限情報を付加する付加工程と、
前記印刷制限情報と前記複写制限情報との整合性を判断する判断工程と、
前記判断工程における判断の結果に基づいて前記印刷制限情報を変更する変更工程と、を備えることを特徴とするプログラム。
【手続補正２】
【補正対象書類名】明細書
【補正対象項目名】発明の名称
【補正方法】変更
【補正の内容】
【発明の名称】印刷システム及び印刷制限方法、並びにプログラム
【手続補正３】
【補正対象書類名】明細書
【補正対象項目名】０００１
【補正方法】変更
【補正の内容】
【０００１】
本発明は、画像形成装置と、情報処理装置及び管理サーバがネットワークで接続される印刷システムに関する。より詳細には、印刷物の複製を制御するための複製制御情報の埋め込みを行う印刷システム及び印刷制限方法、並びにプログラムに関する。
【手続補正４】
【補正対象書類名】明細書
【補正対象項目名】００１４
【補正方法】変更
【補正の内容】
【００１４】
上記目的を達成するために、本発明による印刷システムは、情報処理装置と、前記情報処理装置から送信された印刷データに基づいて印刷処理を行う印刷装置を含む印刷システムであって、前記印刷データに基づく印刷処理に関する機能の使用を制限する情報である印刷制限情報を取得する印刷制限情報の取得手段と、前記印刷データに、前記印刷データに基づいて印刷処理された印刷物の複写を制限するための複写制限情報を付加する付加手段と、前記印刷制限情報と前記複写制限情報との整合性を判断する判断手段と、前記判断手段による判断の結果に基づいて前記印刷制限情報を変更する変更手段と、を備えることを特徴とする。
【手続補正５】
【補正対象書類名】明細書
【補正対象項目名】００１５
【補正方法】変更
【補正の内容】
【００１５】
本発明による印刷制限方法は、情報処理装置と、前記情報処理装置から送信された印刷データに基づいて印刷処理を行う印刷装置を含む印刷システムにおける印刷制限方法であって、前記印刷データに基づく印刷処理に関する機能の使用を制限する情報である印刷制限情報を取得する印刷制限情報の取得工程と、前記印刷データに、前記印刷データに基づいて印刷処理された印刷物の複写を制限するための複写制限情報を付加する付加工程と、前記印刷制限情報と前記複写制限情報との整合性を判断する判断工程と、前記判断工程における判断の結果に基づいて前記印刷制限情報を変更する変更工程と、を備えることを特徴とする。
【手続補正６】
【補正対象書類名】明細書
【補正対象項目名】００１６
【補正方法】変更
【補正の内容】
【００１６】
本発明によるプログラムは、情報処理装置と、前記情報処理装置から送信された印刷データに基づいて印刷処理を行う印刷装置を含む印刷システムにおける印刷制限方法をコンピュータに実行させるためのプログラムであって、前記印刷制限方法は、前記印刷データに基づく印刷処理に関する機能の使用を制限する情報である印刷制限情報を取得する印刷制限情報の取得工程と、前記印刷データに、前記印刷データに基づいて印刷処理された印刷物の複写を制限するための複写制限情報を付加する付加工程と、前記印刷制限情報と前記複写制限情報との整合性を判断する判断工程と、前記判断工程における判断の結果に基づいて前記印刷制限情報を変更する変更工程と、を備えることを特徴とする。
【手続補正７】
【補正対象書類名】明細書
【補正対象項目名】００１７
【補正方法】削除
【補正の内容】